(57)【要約】【課題】携帯性を低下させずに携帯端末を机の上に所定角度で自立させる機能を有しながら、携帯端末との固定力が低下することがない携帯端末ケースを提供すること。【解決手段】中央折曲部４により分けられた携帯端末Ｍの表面Ｍ１に掛かる蓋面部６と携帯端末Ｍの裏側Ｍ２に掛かる固定面部７とを有し、固定面部７が中央折曲部４と平行な折曲線部５によって折り曲げられるようになっており、携帯端末Ｍは、折曲線部５を跨ぐように設けられた固定片３と粘着層１０により固定可能とされており、固定片３を固定面部４における折曲線部５によって分けられた中央折曲部側を少なくとも除く面に支持させた。【選択図】図７
2016013300.tif 000002
【特許請求の範囲】
【請求項１】
中央折曲部により分けられた携帯端末の表面に掛かる蓋面部と携帯端末の裏側に掛かる固定面部とを有し、前記固定面部が前記中央折曲部と平行な折曲線部によって折り曲げられるようになっており、
前記携帯端末は、前記折曲線部を跨ぐように設けられた固定片と粘着層により固定可能となっており、
前記固定片は、前記固定面部における前記折曲線部によって分けられた前記中央折曲部側を少なくとも除く面に支持されていることを特徴とする携帯端末ケース。
【請求項２】
前記固定片は、回動部材により前記固定面部に対して回動可能に固定されていることを特徴とする請求項１に記載の携帯端末ケース。
【請求項３】
前記携帯端末ケースには、固定片の回動を規制する回動規制装置が設けられていることを特徴とする請求項２に記載の携帯端末ケース。
【請求項４】
前記回動規制装置は、磁性体によるものであることを特徴とする請求項３に記載の携帯端末ケース。
【発明の詳細な説明】
【技術分野】
【０００１】
本発明は、携帯端末ケースに関する。
【背景技術】
【０００２】
携帯端末ケースには、携帯端末を机の上に所定角度で自立させる機能を付加することで、その画面上に表示される動画等を見やすくできるものがある。例えば、特許文献１の携帯端末ケースは、携帯端末に外嵌する箱状の保持ケースと、保持ケース裏側に収納された折畳支持部材と、を有してなり、折畳支持部材を展開して保持ケース裏側に固定することで、保持ケースごと携帯端末を机の上に所定角度で自立できるようになっている。
【０００３】
しかしながら、特許文献１にあるような携帯端末ケースにあっては、携帯端末に外嵌する箱状の保持ケースを用いることから重量があるとともに、折畳式の支持部材を収納するスペースも必要になることから、携帯性が低下するという問題があった。
そこで、携帯性を低下させずに携帯端末を机の上に所定角度で自立させる機能を有した、図１０に示されるような携帯端末ケースがある。この携帯端末ケースは、中央折曲部０３により分けられた携帯端末Ｍの表面に掛かる蓋面部０１と携帯端末Ｍの裏側に掛かる固定面部０２とを有し、固定面部０２が前記中央折曲部０３と平行な折曲線部０４によって折り曲げられるようになっている。前記固定面部０２において折曲線部０４によって分けられた中央折曲部０３側でない方の面が粘着層０５となっており、この粘着層０５の粘着力により携帯端末Ｍと携帯端末ケースとが固定される。そして、中央折曲部０３と折曲線部０４とを折り曲げることで、携帯端末Ｍを机の上に所定角度で自立させることができるようになっている。
【先行技術文献】
【特許文献】
【０００４】
【特許文献１】特開２０１３−１４６３８６号公報（第５頁、第７図）
【発明の概要】
【発明が解決しようとする課題】
【０００５】
しかしながら、図１０に示すような携帯端末ケースにあっては、粘着層０５が折曲線部０４と隣接しているため、固定面部０２が折り曲げられた状態において、粘着層０５の折曲線部０４側の端部が携帯端末Ｍに対して捲れ上がるようにして剥がれ、固定力が低下してしまう虞があった。
【０００６】
本発明は、このような問題点に着目してなされたもので、携帯性を低下させずに携帯端末を机の上に所定角度で自立させる機能を有しながら、携帯端末との固定力が低下することがない携帯端末ケースを提供することを目的とする。
【課題を解決するための手段】
【０００７】
前記課題を解決するために、本発明の携帯端末ケースは、
中央折曲部により分けられた携帯端末の表面に掛かる蓋面部と携帯端末の裏側に掛かる固定面部とを有し、前記固定面部が前記中央折曲部と平行な折曲線部によって折り曲げられるようになっており、
前記携帯端末は、前記折曲線部を跨ぐように設けられた固定片と粘着層により固定可能となっており、
前記固定片は、前記固定面部における前記折曲線部によって分けられた前記中央折曲部側を少なくとも除く面に支持されていることを特徴としている。
この特徴によれば、携帯端末は折曲線部を跨ぐように設けられた固定片と粘着層により、固定片が固定面部に片持ち状態で支持されているため、固定面部が折曲線部で折り曲げられる際に、粘着層に折り曲げ時の外力が及ばないため、確実に携帯端末と固定面部との固定力を維持できる。
【０００８】
前記固定片は、回動部材により前記固定面部に対して回動可能に支持されていることを特徴としている。
この特徴によれば、固定片を回動させて携帯端末を縦置き状態で支立させることができる。
【０００９】
前記携帯端末ケースには、固定片の回動を規制する回動規制装置が設けられていることを特徴としている。
この特徴によれば、固定片及び携帯端末の回動が規制されるため、携帯端末の操作がしやすい。
【００１０】
前記回動規制装置は、磁性体によるものであることを特徴としている。
この特徴によれば、磁性体により固定片及び携帯端末の回動が規制されるため、回動規制時と回動時との切り替えを容易に行うことができる。
【図面の簡単な説明】
【００１１】
【図１】実施例における携帯端末ケースの使用例を示す斜視図である。
【図２】携帯端末ケースを示す斜視図である。
【図３】携帯端末ケースを示す側面図である。
【図４】携帯端末ケースの使用例を示す側面図である。
【図５】携帯端末ケースを示す平面図である。
【図６】固定面部を示す一部拡大側断面図である。
【図７】携帯端末ケースを用いて携帯端末を立ち上げた状態を示す斜視図である。
【図８】固定片を回動させた状態を示す平面図である。
【図９】固定片を回動させた状態を示す底面図である。
【図１０】携帯端末ケースの従来例を示す側面図である。
【発明を実施するための形態】
【００１２】
本発明に係る携帯端末ケースを実施するための形態を実施例に基づいて以下に説明する。
【実施例】
【００１３】
実施例に係る携帯端末ケースにつき、図１から図９を参照して説明する。図１に示されるように、携帯端末ケース１は、外部からの衝撃に対する緩衝及び携帯端末表面への損傷を防ぐ目的や装飾の観点から、特にスマートフォン等の携帯端末Ｍを被覆するケースである。
【００１４】
携帯端末ケース１は、携帯端末Ｍの表面Ｍ１と裏面Ｍ２及び一方側面Ｍ３を被覆可能な一枚の基部材２と、後述する固定片３（図２参照）と、から主に構成されている。図４に示されるように、基部材２は、２枚の布体２Ａ，２Ｂを貼り合わせて形成されており、表地２Ａが革素材、裏地２Ｂが起毛素材で形成されている。携帯端末ケース１は、クッション性を有する起毛素材の裏地２Ｂ側が携帯端末Ｍに接触するように取り付けられるため、携帯端末Ｍの表面Ｍ１と裏面Ｍ２及び一方側面Ｍ３に傷が付きづらくなっている。
【００１５】
また、図３に示されるように、基部材２には、その表面及び裏面にプレス加工によって線状の中央折曲部４と折曲線部５とが形成されており、これら中央折曲部４及び折曲線部５とにより基部材２の折り曲げを容易に行えるようになっている。
【００１６】
図４及び図５に示されるように、中央折曲部４は折り曲げ時に、基部材２の長手方向中央側に対応する携帯端末Ｍの厚みと少なくとも同寸以上の幅を有しており、この中央折曲部４により基部材２が蓋面部６と固定面部７とに区分けされている。折曲線部５は、固定面部７における長手方向の略中央に中央折曲部４と略平行に設けられ、この折曲線により固定面部７が第１面部８と第２面部９とに区分けされている。
【００１７】
図５及び図６に示されるように、固定面部７の第１面部８には、固定片３が回動中心軸１１により軸固定されている。固定片３は表面に粘着層１０を有しており、この粘着層１０が携帯端末Ｍの裏面Ｍ２に貼着されて携帯端末Ｍと固定片３とが固定されるようになっている。固定片３と第１面部８とには軸穴３ａ，８ａが形成されており、これら軸穴３ａ，８ａを繋ぐように回動中心軸１１が軸支されている。
【００１８】
図５に示されるように、固定片３の軸穴３ａは、固定片３の幅方向の一方側に片寄して設けられているため、固定片３が平常位置に配置されている場合では、折曲線部５を跨ぐようにして固定面部７の幅方向略中央に配置されている。
【００１９】
携帯端末ケース１を用いて携帯端末Ｍを立たせる際には、図７に示されるように、基部材２を中央折曲部４及び折曲線部５の場所で、それぞれ折り曲げる。基部材２は、中央折曲部４の場所では、裏地２Ｂ側で蓋面部６と固定面部７とを近づけるように、すなわち裏地２Ｂ側で谷折りに折り曲げられる。また、折曲線部５の場所では、表地２Ａ側で第１面部８と第２面部９とを近づけるように、すなわち裏地２Ｂで山折りに折り曲げられる。
【００２０】
そして、上記したように折り曲げた状態で携帯端末Ｍの一方側面Ｍ３を、机などの平面上に載置された蓋面部６に当接させる。これによれば、折り曲げられた固定面部７が携帯端末Ｍを傾斜状態で支立させることができる。また、蓋面部６は摩擦係数が高い起毛状であるため、携帯端末Ｍはその一方側面Ｍ３と蓋面部６との摩擦により滑り止めされている。
【００２１】
携帯端末Ｍと携帯端末ケース１とが、折り曲げられる基部材２と別体の固定片３を介して固定されており、固定片３が固定面部７における折曲線部５により分けられた中央折曲部４側を少なくとも除く場所である第１面部８に支持されているため、固定面部７を折り曲げた場合においても、その折り曲げ時の外力が粘着層１０すなわち固定片３と携帯端末Ｍとの貼着力に影響せず、確実に携帯端末Ｍと固定面部７との固定力を維持することができる。
【００２２】
また、図８に示されるように、回動中心軸１１を中心として固定片３を固定面部７に対して平常位置から９０度回動させた状態では、固定片３の一部が基部材２の長手方向端部から突出するようになっている。そのため、図９に示されるように、固定片３の回動により携帯端末Ｍのカメラレンズ部Ｍ４を基部材２から露出させることができ、携帯端末Ｍを携帯端末ケース１と離脱させることなく写真撮影を行うことができる。
【００２３】
また、固定片３を９０度回動させた状態（図７参照）で基部材２を折り曲げることで、携帯端末Ｍを縦置きで支立させることができる。
【００２４】
また、図７に示されるように、固定面部７の第２面部９側には、比較的磁力の弱い永久磁石２１が内蔵され、固定片３には金属片等の磁性体２０が内蔵されている。そして、固定片３が平常位置に配置されている状態で永久磁石２１と磁性体２０とが平面視で重なるようになっており、永久磁石２１と磁性体２０は、その磁力により固定片３を平常位置に維持できる回動規制装置を構成している。この回動規制装置により固定片３を回動規制状態とすることで平常位置に配置した携帯端末Ｍの操作が行いやすい。
【００２５】
また、永久磁石２１と磁性体２０により携帯端末Ｍの回動が規制されるため、携帯端末Ｍの回動規制時と回動時との切り替えを容易に行うことができる。更に、磁力が比較的弱い永久磁石２０を用いることで、携帯端末Ｍへの磁力の影響が防止されている。尚、永久磁石２０を固定片３に内蔵し、磁性体２１を固定面部７に内蔵してもよいし、これらは内臓に限らず、外部に露出して設けられてもよい。
【００２６】
携帯端末Ｍと固定片３との固定には、粘着層１０が用いられているため剪断力が強く、固定片３の回動時に携帯端末Ｍが離脱することがない。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
例えば、前記実施例において、固定片３との貼着により携帯端末ケース１と一体となった携帯端末Ｍを立たせる際には、基部材２を中央折曲部４の場所では、裏地２Ｂ側で蓋面部６と固定面部７とを近づけるように、すなわち裏地２Ｂ側で谷折りに折り曲げ、折曲線部５の場所では、表地２Ａ側で第１面部８と第２面部９とを近づけるように、すなわち裏地２Ｂで山折りに折り曲げる構成で説明したが、この構成はあくまで携帯端末Ｍを立ち上がらせる一例に過ぎない。そのため、折曲線は一本に限らず、２本以上の複数本設けられても良いし、山折り谷折りの選択も自由に設計可能であることは言うまでもない。
【００２９】
また、中央折曲部４は基部材２の中央に設けられる構造に限らず、折曲線部５もまた固定面部７の中央に設けられる構造に限らない。更に、中央折曲部４及び折曲線部５は、プレス加工により形成される凹部状の形状に限らず、例えばカッター等により形成される切り欠きであってもよい。
【００３０】
また、前記回動規制装置は、永久磁石２１と磁性体２０によるものに限らず、例えばフックや面ファスナー等の係合機構であってもよい。
【００３１】
また、基部材２は、革素材の表地２Ａと起毛素材の裏地２Ｂにより形成される構成に限らず、例えば合成樹脂製の１枚生地で形成されてもよい。更に、基部材２の裏地側にゴム等の高摩擦材や溝等を設けることで携帯端末Ｍを立たせる際の滑り止めとしてもよい。
【００３２】
また、携帯端末Ｍの機種によっては、縦立状態の使用が想定されないものもあるため、固定片３は必ずしも回動中心軸１１により回動可能に支持される必要はなく、固定面部７における折曲線部５により分けられた中央折曲部４側を少なくとも除く場所であれば、例えば接着固定や縫合固定される構成であってもよい。
【符号の説明】
【００３３】
１                携帯端末ケース
２                基部材
２Ａ              表地
２Ｂ              裏地
３                固定片
３ａ              軸穴
４                中央折曲部
５                折曲線
６                蓋面部
７              固定面部
８              第１面部
９              第２面部
１０            粘着層
１１            回動中心軸
２０            永久磁石（回動規制装置）
２１            磁性体（回動規制装置）
Ｍ              携帯端末
【図１】
2016013300.tif 000003
【図２】
2016013300.tif 000004
【図３】
2016013300.tif 000005
【図４】
2016013300.tif 000006
【図５】
2016013300.tif 000007
【図６】
2016013300.tif 000008
【図７】
2016013300.tif 000009
【図８】
2016013300.tif 000010
【図９】
2016013300.tif 000011
【図１０】
2016013300.tif 000012